(57)【特許請求の範囲】
【請求項１】
マンホールの鉄蓋用受枠の内側に着脱自在に取り付けられる凹状外周蓋と、前記外周蓋内に昇降自在に取り付けられた内蓋とからなり、前記外周蓋は、筒形状で底部を有し、前記底部には開口が形成され、前記内蓋は、前記開口より大きい面積を有し、前記外周蓋内への流入水がないときには、前記開口は、前記内蓋の自重による下降により塞がれ、前記外周蓋内への流入水があるときには、前記内蓋は、前記内蓋の浮力により浮上して、前記開口が開放され、かくして、前記外周蓋内の流入水は、前記開口からマンホール内に排水されることを特徴とする、マンホールの断熱用中蓋。
【請求項２】
前記内蓋は、ガイド棒を介して前記外周蓋に取り付けられ、前記ガイド棒は、前記内蓋と共に浮上し且つ前記内蓋の重りの作用を有することを特徴とする、請求項１記載の、マンホールの断熱用中蓋。
【請求項３】
前記外周蓋は、断熱材によって覆われ、前記内蓋は、断熱材によって形成されていることを特徴とする、請求項１または２記載の、マンホールの断熱用中蓋。
【発明の詳細な説明】
【０００１】
【発明の属する技術分野】
この発明は、マンホールの断熱用中蓋、特に、マンホールの鉄蓋への放射伝熱および対流伝熱の両方を有効に遮断でき、且つ、マンホール内への流入水の排水が確実に行え、しかも、構造が簡単であることから製造コストが安価で済む、マンホールの断熱用中蓋に関するものである。
【０００２】
【従来の技術】
豪雪地帯の道路において、暖かい生活排水が流れる下水道のマンホール鉄蓋は、周囲より温度が高いので、鉄蓋上の積雪は溶け、この結果、路面に鉄蓋大の凹みが形成される。このような凹みが路面に形成されると、車両がこの凹みによりハンドルを取られて交通事故を起こしたり、人が足を取られて怪我をするといった問題が生じていた。
【０００３】
この問題を解決する手段として、鉄蓋の裏面に断熱材を張り付けることが行われているが、鉄蓋の裏面には、鉄蓋を受枠に連結する蝶番やロック機構が取り付けられているので、鉄蓋の裏面全面に断熱材を張り付けることはできない。従って、断熱効果が不十分であり、融雪を確実に防止することができなかった。
【０００４】
そこで、上記問題を解決するために、特開２０００−１９００には、マンホール内に配置される拡縮径自在な環状枠体と、前記環状枠体の外周に設けられる外側シール材と、前記環状枠体側に上下動自在に支持された断熱性閉塞体と、前記環状枠体の下側に前記断熱性閉塞体を常時圧接する弾性体とからなるマンホール用断熱装置が開示されている。以下、従来技術１という。
【０００５】
また、特開２０００−１２９７０８には、マンホール内に配置される支持体と、マンホール内面に接する外縁側に少なくとも１つの切り欠き面が形成された板状とからなり、前記支持体に支持された断熱性閉塞体と、マンホール内面と切り欠き面との間を閉塞するように断熱性閉塞体に取り付けられ、上方からの荷重により開弁動作する遮断弁とを備えたマンホール用断熱装置が開示されている。以下、従来技術２という。
【０００６】
【発明が解決しようとする課題】
しかしながら、上記従来技術１は、断熱性閉塞体（断熱用中蓋）をマンホール内に固定するための特別な構造の支持枠や拡縮径自在の環状枠体を用いているので、構造が複雑でコストがかかる。また、上記従来技術２は、断熱性閉塞体上に溜まった水を下方の下水道に流すための遮断弁を用いているので、やはり、構造が複雑でコストがかかる。
【０００７】
従って、この発明の目的は、マンホール鉄蓋への放射伝熱および対流伝熱の両方を有効に遮断でき、且つ、マンホール内への流入水の排水が確実に行え、しかも、構造が簡単であることから製造コストが安価で済む、マンホールの断熱用中蓋を提供することにある。
【０００８】
【課題を解決するための手段】
請求項１記載の発明は、マンホールの鉄蓋用受枠の内側に着脱自在に取り付けられる凹状外周蓋と、前記外周蓋内に昇降自在に取り付けられた内蓋とからなり、前記外周蓋は、筒形状で底部を有し、前記底部には開口が形成され、前記内蓋は、前記開口より大きい面積を有し、前記外周蓋内への流入水がないときには、前記開口は、前記内蓋の自重による下降により塞がれ、前記外周蓋内への流入水があるときには、前記内蓋は、前記内蓋の浮力により浮上して、前記開口が開放され、かくして、前記外周蓋内の流入水は、前記開口からマンホール内に排水されることに特徴を有するものである。
【０００９】
請求項２記載の発明は、前記内蓋は、ガイド棒を介して前記外周蓋に取り付けられ、前記ガイド棒は、前記内蓋と共に浮上し且つ前記内蓋の重りの作用をすることに特徴を有するものである。
【００１０】
請求項３記載の発明は、前記外周蓋は、断熱材によって覆われ、前記内蓋は、断熱材によって形成されていることに特徴を有するものである。
【００１１】
【発明の実施の形態】
この発明の、マンホールの断熱用中蓋の一実施態様を、図面を参照しながら説明する。
【００１２】
図１は、この発明の断熱用中蓋の設置状態を示す部分断面図、図２は、浮力により内蓋が浮上した状態を示す、この発明の断熱用中蓋の部分断面図、図３は、別のマンホールへの、この発明の断熱用中蓋の設置状態を示す部分断面図である。
【００１３】
図１から図３において、１は、マンホール、２は、受枠、３は、受枠２内に嵌め込まれる鉄蓋、４は、断面形状Ｌ型のリング状の載置枠であり、受枠２の内周面にボルト５により固定されている。６は、凹状円形、すなわち、底部を有する円筒形状をなす外周蓋であり、そのフランジ部６Ａが載置枠４上に載置されることによって、受枠２内に取り付けられている。外周蓋６は、人が誤って乗っても壊れないように、金属製またはＦＲＰ製等の強固な材質によりできている。外周蓋６の底部の中央部には、円形状の開口６Ｂが形成されていて、外周蓋６の外面は、発泡ウレタン等の断熱材１０によって覆われている。
【００１４】
７は、外周蓋６内にガイド棒８を介して昇降自在に取り付けられた円形内蓋である。内蓋７は、外周蓋６の開口６Ｂを塞ぐことができる大きさを有している。ガイド棒８は、逆Ｕ字型をなし、その両端には、ストッパー９が取り付けられ、外周蓋６から抜け出ないようになっている。ガイド棒８は、外周蓋６に対して緩く貫通しているので、通常時は、内蓋７は、ガイド棒８の自重によって外周蓋６に密着して、開口６Ｂを塞ぎ、外周蓋６内に雨水等が流入したときには、浮力によって浮上して、開口６Ｂを開き、これによって、外周蓋６内の雨水をマンホール１内に排出する。内蓋７にガイド棒８の自重をかける理由は、下水道の流量変化によるマンホール１の内圧変動等により内蓋７が不安定になることを防止すると共に、外周蓋６内への流入水が排水された後、速やかに内蓋７を下降させるためである。
【００１５】
以上のように構成されている、この発明の断熱用中蓋によれば、以下のようにして、マンホールの鉄蓋への放射伝熱および対流伝熱の両方を有効に遮断でき、且つ、マンホール内への雨水の排水が確実に行える。
【００１６】
受枠２に固定された載置枠４に外周蓋６を内蓋７と共に乗せれば、マンホール１内の放射伝熱および対流伝熱は、外周蓋６および内蓋７によって確実に遮断される。特に、外周蓋６の外面が断熱材１０によって覆われ、しかも、内蓋７が断熱材で構成されているので、断熱効果は非常に高い。この状態で、外周蓋６にはガイド棒８の自重がかかるので、マンホール１の内圧変動等により内蓋７が不安定になる恐れはない。
【００１７】
雨水等がマンホール内の外周蓋６に流入した場合には、図２に示すように、内蓋７は、その浮力により浮上し、これによって、外周蓋６の開口６Ｂが開くので、雨水は、開かれた開口６Ｂからマンホール１内に排水される。排水後、内蓋７は、ガイド棒８の自重によって速やかに下降し、外周蓋６の開口６Ｂを塞ぐ。
【００１８】
なお、外周蓋６の強度が高いので、鉄蓋３をあけたときに、人が誤って外周蓋６上に乗ったり、機材を落としたりしても、外周蓋６が壊れて人や機材がマンホール１内に落下する恐れはない。
【００１９】
また、この発明の断熱用中蓋は、上述のようなマンホール側壁が垂直の場合のみならず、図３に示すように、マンホール側壁が傾斜している場合にも適用可能である。
【００２０】
【発明の効果】
以上説明したように、この発明によれば、マンホールの鉄蓋への放射伝熱および対流伝熱の両方を有効に遮断でき、且つ、マンホール内への流入水の排水が確実に行え、しかも、構造が簡単であることから製造コストが安価で済み、さらに、人が誤って外周蓋上に乗ったり、機材を落としたりしても、外周蓋が壊れて人や機材がマンホール内に落下する恐れはない等、有用な効果がもたらされる。
【図面の簡単な説明】
【図１】この発明の断熱用中蓋の設置状態を示す部分断面図である。
【図２】浮力により内蓋が浮上した状態を示す、この発明の断熱用中蓋の部分断面図である。
【図３】別のマンホールへの、この発明の断熱用中蓋の設置状態を示す部分断面図である。
【符号の説明】
１：マンホール
２：受枠
３：鉄蓋
４：載置枠
５：ボルト
６：外周蓋
６Ａ：フランジ部
６Ｂ：開口
７：内蓋
８：ガイド棒
９：ストッパー
１０：断熱材
【図１】
0004801299.tif 000002
【図２】
0004801299.tif 000003
【図３】
0004801299.tif 000004